(57)【要約】【課題】携帯電子機器のディスプレイに画像が適切に表示されているかを確認しながら、画像を適切にプリントアウトすることが可能な携帯型プリンタを提供する。【解決手段】携帯型プリンタ１，１＊は、インスタントカメラ１０と、ディスプレイＤがインスタントカメラ１０と対向する向きにされた携帯電子機器Ｓをインスタントカメラ１０から所定距離だけ離れた状態で支持するとともに携帯電子機器Ｓとインスタントカメラ１０との間の空間Ｂを覆う支持部３０，３０＊と、支持部３０，３０＊に支持された携帯電子機器ＳのディスプレイＤに表示されている画像を反射して、支持部３０＊に又は支持部３０によって形成され携帯電子機器Ｓとインスタントカメラ１０との間に形成された覗き窓Ａを介して視認可能とするミラー５０と、を備え、携帯電子機器ＳのディスプレイＤに表示されている画像をインスタントカメラ１０で撮影してプリントアウトする。【選択図】図５
2019014181.tif 000002
【特許請求の範囲】
【請求項１】
インスタントカメラと、
ディスプレイが前記インスタントカメラと対向する向きにされた携帯電子機器を、当該ディスプレイが前記インスタントカメラから所定距離だけ離れた状態で支持するとともに、前記携帯電子機器と前記インスタントカメラとの間の空間を覆う支持部と、
前記支持部に支持された前記携帯電子機器のディスプレイに表示されている画像を反射して、前記支持部に又は前記支持部によって形成され前記携帯電子機器と前記インスタントカメラとの間に形成された覗き窓を介して視認可能とするミラーと、
を備え、
前記携帯電子機器のディスプレイに表示されている画像を前記インスタントカメラで撮影してプリントアウトすることを特徴とする携帯型プリンタ。
【請求項２】
インスタントカメラと、
前記インスタントカメラを設置可能な設置部と、
ディスプレイが下向きにされた携帯電子機器を、当該ディスプレイが前記インスタントカメラから上方に所定距離だけ離れた状態で支持するとともに、前記携帯電子機器と前記インスタントカメラとの間の空間を覆う支持部と、
前記支持部に支持された前記携帯電子機器のディスプレイに表示されている画像を反射して、前記支持部に又は前記支持部によって形成され前記携帯電子機器と前記インスタントカメラとの間に形成された覗き窓を介して視認可能とするミラーと、
を備え、
前記携帯電子機器のディスプレイに表示されている画像を前記インスタントカメラで撮影してプリントアウトすることを特徴とする携帯型プリンタ。
【請求項３】
前記インスタントカメラは、前記設置部に組み込まれていることを特徴とする請求項２に記載の携帯型プリンタ。
【請求項４】
前記設置部に、下向きに押されて操作される前記インスタントカメラのシャッタが設けられていることを特徴とする請求項３に記載の携帯型プリンタ。
【請求項５】
前記支持部は、前記設置部に対して折り畳み可能とされていることを特徴とする請求項２から請求項４のいずれか一項に記載の携帯型プリンタ。
【請求項６】
前記支持部は、前記設置部に対して折り畳まれた状態では前記設置部を覆う蓋になることを特徴とする請求項５に記載の携帯型プリンタ。
【請求項７】
前記ミラーは、その鏡面が凸面とされていることを特徴とする請求項１から請求項６のいずれか一項に記載の携帯型プリンタ。
【請求項８】
前記携帯電子機器のディスプレイに表示されている画像をトリミングするための開口部を有する枠体を備え、
前記ディスプレイが下向きにされた前記携帯電子機器が取り付けられた前記枠体が前記支持部に取り付けられることを特徴とする請求項１から請求項７のいずれか一項に記載の携帯型プリンタ。
【請求項９】
前記枠体には、粘着部が設けられており、
前記携帯電子機器は、前記粘着部により粘着されることで前記枠体に取り付けられることを特徴とする請求項８に記載の携帯型プリンタ。
【請求項１０】
前記支持部は、前記設置部に対して折り畳み可能とされており、
前記枠体は、前記設置部と折り畳まれた状態の前記支持部との間に収納可能とされていることを特徴とする請求項８又は請求項９に記載の携帯型プリンタ。
【請求項１１】
前記開口部の形状及び大きさのいずれか一方又は両方が異なる複数の前記枠体を備えることを特徴とする請求項８から請求項１０のいずれか一項に記載の携帯型プリンタ。
【発明の詳細な説明】
【技術分野】
【０００１】
本発明は携帯型プリンタに関するものである。
【背景技術】
【０００２】
スマートフォンで撮影したりスマートフォンに送信される等した画像を、スマートフォンを自宅に持ち帰ったり店舗に持ち込んだりせずにその場でフィルムにプリントアウトする方法としては、携帯電話機の例であるが特許文献１に記載されているように、スマートフォン自体にインスタントカメラの機能を持たせるように構成することが可能である。しかし、ユーザが現に使用しているインスタントカメラの機能を有しないスマートフォンではこの方法は使えない。
【０００３】
一方、電子カメラを対象とするものであるが、特許文献２に記載されているように、電子カメラのディスプレイに画像が表示されている状態で電子カメラをソケットに差し込み、ディスプレイに表示されている画像を内部の光学系を介してフィルムに投影することでフィルムを感光させてプリントアウトするプリント用装置が知られている。
また、携帯電話機を対象とするものであるが、特許文献３に記載されているように、携帯電話機のディスプレイに画像が表示されている状態で携帯電話機を挿入口に挿入させ、上記と同様に、ディスプレイに表示されている画像を内部の光学系を介してフィルムに投影することでフィルムを感光させてプリントアウトする携帯型プリンタが知られている。
【０００４】
そして、これらの技術をスマートフォンに適用すれば、ユーザが現に使用しているスマートフォンのディスプレイに表示される画像をその場でフィルムにプリントアウトすることが可能となる。
【先行技術文献】
【特許文献】
【０００５】
【特許文献１】特開２００１−４５３４２号公報
【特許文献２】特開平１１−１６７１６１号公報
【特許文献３】特許第４１４００４７号公報（特に図２７以下参照）
【発明の概要】
【発明が解決しようとする課題】
【０００６】
しかしながら、特許文献２，３に記載された携帯型プリンタ等では、その内部でフィルムが剥き出しの状態になっていることもあり、外部の光が入り込まないようにするために、光を通さない壁面や蛇腹で装置が覆われている。そして、外部の光が装置内に入らないように、ソケットに差し込まれたスマートフォンは壁面に押し付けられ、挿入口に挿入されたスマートフォンは密閉される。
そのため、スマートフォンが携帯型プリンタ等のソケットに差し込まれてディスプレイが壁面に密着したり、スマートフォンが挿入口に挿入された状態では、スマートフォンのディスプレイに画像が適切に表示されているか（すなわち、プリントアウトしたい画像が表示されているか、画像の位置や縦横の向きが適切か、あるいはそもそも画像が表示されているか等）をユーザが確認することができない。
【０００７】
そのため、ディスプレイに画像が適切に表示されていない場合でも、ユーザは画像をプリントアウトして初めてそれに気付くことになり、不便さが感じられるとともに、プリントアウトしたフィルムが無駄になってしまう。
【０００８】
本発明は、かかる点に鑑みなされたもので、ユーザがスマートフォン等の携帯電子機器のディスプレイに画像が適切に表示されているかを確認しながら、ディスプレイに表示されている画像を適切にプリントアウトすることが可能な携帯型プリンタを提供することを目的とする。
【課題を解決するための手段】
【０００９】
上記課題を達成するため、第１の手段は、
インスタントカメラと、
ディスプレイが前記インスタントカメラと対向する向きにされた携帯電子機器を、当該ディスプレイが前記インスタントカメラから所定距離だけ離れた状態で支持するとともに、前記携帯電子機器と前記インスタントカメラとの間の空間を覆う支持部と、
前記支持部に支持された前記携帯電子機器のディスプレイに表示されている画像を反射して、前記支持部に又は前記支持部によって形成され前記携帯電子機器と前記インスタントカメラとの間に形成された覗き窓を介して視認可能とするミラーと、
を備え、
前記携帯電子機器のディスプレイに表示されている画像を前記インスタントカメラで撮影してプリントアウトすることを特徴とする。
【００１０】
第２の手段は、
インスタントカメラと、
前記インスタントカメラを設置可能な設置部と、
ディスプレイが下向きにされた携帯電子機器を、当該ディスプレイが前記インスタントカメラから上方に所定距離だけ離れた状態で支持するとともに、前記携帯電子機器と前記インスタントカメラとの間の空間を覆う支持部と、
前記支持部に支持された前記携帯電子機器のディスプレイに表示されている画像を反射して、前記支持部に又は前記支持部によって形成され前記携帯電子機器と前記インスタントカメラとの間に形成された覗き窓を介して視認可能とするミラーと、
を備え、
前記携帯電子機器のディスプレイに表示されている画像を前記インスタントカメラで撮影してプリントアウトすることを特徴とする。
【００１１】
第３の手段は、第２の手段であって、前記インスタントカメラは、前記設置部に組み込まれていることを特徴とする。
【００１２】
第４の手段は、第３の手段であって、前記設置部に、下向きに押されて操作される前記インスタントカメラのシャッタが設けられていることを特徴とする。
【００１３】
第５の手段は、第２の手段から第４の手段のいずれか一の手段であって、前記支持部は、前記設置部に対して折り畳み可能とされていることを特徴とする。
【００１４】
第６の手段は、第５の手段であって、前記支持部は、前記設置部に対して折り畳まれた状態では前記設置部を覆う蓋になることを特徴とする。
【００１５】
第７の手段は、第１の手段から第６の手段のいずれか一の手段であって、前記ミラーは、その鏡面が凸面とされていることを特徴とする。
【００１６】
第８の手段は、第１の手段から第７の手段のいずれか一の手段であって、
前記携帯電子機器のディスプレイに表示されている画像をトリミングするための開口部を有する枠体を備え、
前記ディスプレイが下向きにされた前記携帯電子機器が取り付けられた前記枠体が前記支持部に取り付けられることを特徴とする。
【００１７】
第９の手段は、第８の手段であって、
前記枠体には、粘着部が設けられており、
前記携帯電子機器は、前記粘着部により粘着されることで前記枠体に取り付けられることを特徴とする。
【００１８】
第１０の手段は、第８の手段又は第９の手段であって、
前記支持部は、前記設置部に対して折り畳み可能とされており、
前記枠体は、前記設置部と折り畳まれた状態の前記支持部との間に収納可能とされていることを特徴とする。
【００１９】
第１１の手段は、第８の手段から第１０の手段のいずれか一の手段であって、前記開口部の形状及び大きさのいずれか一方又は両方が異なる複数の前記枠体を備えることを特徴とする。
【発明の効果】
【００２０】
上記手段によれば、支持部に支持されたスマートフォン等の携帯電子機器のディスプレイに表示されている画像を反射してユーザに視認可能とするミラーを設けるように構成したため、ユーザが携帯電子機器のディスプレイに画像が適切に表示されているかを確認しながら、ディスプレイに表示されている画像を適切にプリントアウトすることが可能となる。
【図面の簡単な説明】
【００２１】
【図１】第１の実施形態に係る携帯型プリンタの構成を示す斜視図である。
【図２】携帯型プリンタの支持部を設置部の上方にそれぞれ折り畳んだ状態を示す斜視図である。
【図３】スマートフォンを枠体に取り付け、それらを携帯型プリンタの支持部の上端に取り付けることを表す図である。
【図４】スマートフォンを枠体に取り付けた状態及びスマートフォンのディスプレイに表示されている画像が枠体の開口部でトリミングされること等を表す図である。
【図５】第１の実施形態に係る携帯型プリンタにスマートフォンを取り付けた状態等を示す斜視図である。
【図６】第２の実施形態に係る携帯型プリンタの構成を示す斜視図である。
【図７】第２の実施形態における支持部の一部を構成する多段テレスコープ式アームの部分を示す図である。
【発明を実施するための形態】
【００２２】
以下、本発明の携帯型プリンタを図面に示した実施形態に基づいて説明する。
【００２３】
本発明に係る携帯型プリンタは、インスタントカメラと、ディスプレイがインスタントカメラと対向する向きにされた携帯電子機器を当該ディスプレイがインスタントカメラから所定距離だけ離れた状態で支持するとともに携帯電子機器とインスタントカメラとの間の空間を覆う支持部と、支持部に支持された携帯電子機器のディスプレイに表示されている画像を反射して、支持部に又は前記支持部によって形成され携帯電子機器とインスタントカメラとの間に形成された覗き窓を介して視認可能とするミラーと、を備え、携帯電子機器のディスプレイに表示されている画像をインスタントカメラで撮影してプリントアウトすることができるようになっている。
【００２４】
なお、以下の各実施形態では、携帯電子機器がスマートフォンである場合について説明するが、携帯電子機器は、スマートフォンだけでなく、携帯電話やゲーム機、携帯情報端末等でもよく、液晶ディスプレイ等のディスプレイを有する携帯型の電子機器であれば本発明を適用すること可能である。
また、以下の各実施形態では、例えば後述する図５や図６（なお図６ではスマートフォンＳは図示省略）等に示すように、スマートフォンＳ（携帯電子機器）が上側、インスタントカメラ１０が下側になるように携帯型プリンタ１を机等の上に据え置いた状態で用いる場合について説明するが、本発明の携帯型プリンタ１は、このように据え置き状態で用いる代わりに、例えば手で持つ等した状態で用いることも可能である。なお、この場合、必ずしもスマートフォンＳが上側、インスタントカメラ１０が下側の状態で使用されるとは限らないが、スマートフォンＳ（携帯電子機器）やインスタントカメラ１０等の携帯型プリンタ１を構成する各部材同士の相対的な位置関係や向き等は、以下で説明する相対的な位置関係や向き等と同じである。
【００２５】
［第１の実施の形態］
［携帯型プリンタの構成］
図１は、第１の実施形態に係る携帯型プリンタの構成を示す斜視図である。
なお、携帯型プリンタ１の各部の説明において、上下、左右、前後は図１に示す方向を言うものとする。また、本実施形態では、図１に示すように、携帯型プリンタ１が、インスタントカメラ１０が設置部２０に一体的に組み込まれている場合について説明するが、インスタントカメラ１０と設置部２０とを別体とし、インスタントカメラ１０を設置部２０に着脱可能とするように構成することも可能である。
【００２６】
本実施形態では、インスタントカメラ１０のシャッタ１１が設置部２０の前面側に設けられている。また、インスタントカメラ１０内（設置部２０内）に、所定枚数のフィルムが収容されるフィルムパック（不図示）をセットすることができるようになっており、シャッタ１１が下向きに押されてインスタントカメラ１０で画像が撮影されたフィルム（不図示）を設置部２０の前面側に設けたハンドル１２を回すことで、設置部２０の側面に設けられた取り出し口１３（後述する図２参照）から外部に取り出すこと（プリントアウト）ができるようになっている。
なお、このようにシャッタ１１を下向きに押してインスタントカメラ１０のシャッタを切るように構成すれば、シャッタ１１を押下しても携帯型プリンタ１やインスタントカメラ１０が水平方向（左右方向や前後方向）に動かないため、撮影された画像がぶれることが防止される効果がある。
【００２７】
設置部２０の左右端には、支持部３０，３０がそれぞれ回動可能（折り畳み可能）に取り付けられている。すなわち、本実施形態では、支持部３０，３０が設置部２０に対していわば観音開きのようにして開いたり折り畳んだりすることができるようになっている。
そして、本実施形態では、支持部３０，３０は、開いた状態（すなわち後述する図３の下段参照）では、ユーザが折り畳むように力を加えない限り自立するようになっている。また、ユーザが折り畳むように力を加えると、支持部３０，３０は容易に折り畳まれるようになっている。
【００２８】
本実施形態では、支持部３０，３０はそれぞれ板状に形成されており、図２に示すように、支持部３０，３０を設置部２０の上方にそれぞれ折り畳んだ状態では、各支持部３０，３０の前後の端部がそれぞれ下方に垂れ下がるように湾曲している。
本実施形態では、支持部３０，３０をこのように構成することで、支持部３０，３０が設置部２０に対して折り畳まれた状態では設置部２０を覆う蓋になるように構成されている。そして、このように支持部３０，３０を設置部２０に対して折り畳み可能とし、折り畳んだ状態で設置部２０を覆う蓋になるように構成することで、ユーザが携帯型プリンタ１を持ち運び易くなるとともに、持ち運びの際に蓋（支持部３０，３０）で設置部２０やインスタントカメラ１０等を外部との衝突から守ることが可能となる。また、折り畳んだ支持部３０，３０が蓋になることで、インスタントカメラ１０のレンズを汚れや傷から保護することが可能となるなど、蓋（支持部３０，３０）によりインスタントカメラ１０のレンズが保護されるという効果もある。
【００２９】
そして、支持部３０，３０を広げた状態すなわち設置部２０から立設させた状態（図１参照）で支持部３０，３０の各上端に跨るようにスマートフォンを載置するように構成してもよいが、本実施形態では、図３に示すように、スマートフォンＳのディスプレイＤを取り付けた枠体４０を、スマートフォンＳのディスプレイＤを下向きにした状態で支持部３０，３０の上端に取り付けることで、枠体４０を介して支持部３０，３０がディスプレイＤを下向き（すなわちインスタントカメラ１０と対向する向き）にしたスマートフォンＳをインスタントカメラ１０の上方に支持するようになっている。
なお、枠体４０を介さずに、スマートフォンＳを、下向きにした状態で支持部３０，３０に直接取り付けるように構成することも可能である。
そして、本実施形態の場合、図３に示すように、支持部３０，３０の上端側に設けられた係合部３１，３１と枠体４０側の係合部４１，４１とを係合させて枠体４０を支持部３０，３０に固定することで、支持部３０，３０により枠体４０とスマートフォンＳが安定的に支持されるようになるとともに、ディスプレイＤが下向きにされたスマートフォンＳが、支持部３０，３０によりインスタントカメラ１０から上方に所定距離だけ離した状態で支持されるようになっている。そして、このように、ディスプレイＤが下向きにされたスマートフォンＳをインスタントカメラ１０から上方に所定距離だけ離した状態で支持することで、スマートフォンＳのディスプレイＤがインスタントカメラ１０のピントが合う位置に配置される状態になる。
【００３０】
また、本実施形態では、枠体４０には、開口部４２の近傍に粘着部４３が設けられており、スマートフォンＳは、この粘着部４３で粘着されることで枠体４０に取り付けられるようになっている。
なお、図１や図３では、粘着部４３が開口部４２の左右に設けられている場合が示されているが、開口部４２の前後やその周囲を取り囲むように設けられていてもよく、適宜の位置に設けることが可能である。また、例えば、枠体４０に吸盤を設ける等してスマートフォンＳを枠体４０に吸着させて取り付けたり、スマートフォンＳを枠体４０にバンドで留めて取り付けたり、あるいは枠体４０に留め具を設けておきこの留め具でスマートフォンＳを枠体４０に留めて取り付ける等するように構成することも可能であり、スマートフォンＳが枠体４０から脱落しないようにすることができればよく、スマートフォンＳの枠体４０への取り付け方は粘着に限定されない。
【００３１】
そして、スマートフォンＳを枠体４０に取り付ける際、図４に示すように、スマートフォンＳのディスプレイＤに表示されている画像が、枠体４０の開口部４２によりトリミングされる。すなわち、スマートフォンＳのディスプレイＤに表示されている画像のうち、枠体４０の開口部４２によりその一部が切り出され、それ以外の部分は枠体４０により遮蔽される。そのため、ユーザは、スマートフォンＳのディスプレイＤにプリントアウトしたい画像を表示させた状態でスマートフォンＳを枠体４０に取り付ける際、プリントアウトしたい画像の部分が枠体４０の開口部４２内に適切に表示される状態にしてスマートフォンＳを枠体４０に取り付ける。
【００３２】
なお、本実施形態では、このように、枠体４０の開口部４２によりスマートフォンＳのディスプレイＤに表示されている画像がトリミングされる状態になる。そのため、例えば開口部４２の形状や大きさ（それらのいずれか一方又は両方）が異なる複数の枠体４０を備えるように構成し、枠体４０を取り換えて画像がトリミングされる範囲を適宜変更することができるように構成することが可能である。
また、図２に示したように、支持部３０，３０を設置部２０の上方にそれぞれ折り畳んだ状態で、設置部２０やインスタントカメラ１０と折り畳まれた状態の各支持部３０，３０との間に枠体４０を収納することができるように構成することが可能である。このように構成すれば、支持部３０，３０を折り畳んだ状態で携帯型プリンタ１を持ち運ぶ際、枠体４０をそれとは別に持ち運ぶ必要がなく、携帯型プリンタ１に収納して持ち運ぶことが可能となり、携帯型プリンタ１がユーザにとって便利になる。
【００３３】
一方、本実施形態では、図１等に示すように、インスタントカメラ１０の近傍には、ミラー５０が設けられている。ミラー５０は、図５に示すように支持部３０，３０に支持されたスマートフォンＳのディスプレイＤに表示されている画像を反射してユーザが視認できることができるようにするものである。
ミラー５０は、インスタントカメラ１０と設置部２０のいずれに取り付けられていてもよい。
そして、本実施形態では、上記のように、２つの支持部３０，３０が設置部２０に対して観音開きのようにして開かれ立設されると、スマートフォンＳとインスタントカメラ１０との間の空間Ｂを覆うようになるとともに、これらの支持部３０，３０によってスマートフォンＳとインスタントカメラ１０との間に開口が形成され、この開口が覗き窓Ａ（図１や図５参照）になっている。ミラー５０は、支持部３０，３０に支持されたスマートフォンＳのディスプレイＤに表示されている画像を反射して、ユーザはこの覗き窓Ａを介してその画像を視認することができるようになっている。
【００３４】
この場合、ミラー５０を、凸面鏡すなわちその鏡面が凸面とされるように形成されていることが好ましい。このように構成すれば、ミラー５０が比較的小さいものであっても、スマートフォンＳのディスプレイＤに表示された画像（実際にはスマートフォンＳのディスプレイＤに表示された画像のうち枠体４０の開口部４２によりトリミングされた範囲の画像）の全体をミラー５０で反射してユーザに視認可能とすることができる。
そして、本実施形態に係る携帯型プリンタ１は、このようにして支持部３０，３０により下向きに支持されたスマートフォンＳのディスプレイＤに表示されている画像を、その下方に配置されているインスタントカメラ１０で撮影してプリントアウトすることができるようになっている。
【００３５】
［携帯型プリンタでプリントアウトするまでの手順］
次に、本実施形態に係る携帯型プリンタ１で、スマートフォンＳのディスプレイＤに表示された画像を撮影してプリントアウトするまでの手順について説明するとともに、本実施形態に係る携帯型プリンタ１の作用についてもあわせて説明する。
【００３６】
まず、ユーザは、スマートフォンＳのディスプレイＤ上に、プリントアウトしたい画像を表示させる。そして、蓋を閉じた状態の携帯型プリンタ１（図２参照）を机等の上に置き、携帯型プリンタ１の蓋すなわち支持部３０，３０を設置部２０に対して回動させて開いて起立させる（図３の下段参照）。
そして、枠体４０を取り出し、図４に示したように、スマートフォンＳのディスプレイＤ部分を枠体４０に取り付ける。本実施形態の場合は、スマートフォンＳのディスプレイＤに枠体４０の粘着部４３を粘着させてスマートフォンＳを枠体４０に取り付ける。その際、枠体４０の開口部４２内にプリントアウトしたい画像が適切に表示されるように、画像の拡大率を調整したりディスプレイＤ上での画像の位置等を調整する。
【００３７】
そして、スマートフォンＳのディスプレイＤが下向きになる状態で、枠体４０の係合部４１，４１をそれぞれ支持部３０，３０の係合部３１，３１と係合させて枠体４０とスマートフォンＳとを支持部３０，３０に固定する。
その際、本実施形態では、支持部３０，３０に支持されたスマートフォンＳのディスプレイＤに表示されている画像がミラー５０で反射され、支持部３０，３０によって形成されスマートフォンＳとインスタントカメラ１０との間に形成された覗き窓Ａ（図５等参照）を介してユーザがその画像を視認することができる。
【００３８】
そのため、ユーザは、ミラー５０に反射される画像を見て、スマートフォンＳのディスプレイＤに画像が適切に表示されているか、すなわちプリントアウトしたい画像が表示されているか（枠体４０やスマートフォンＳを支持部３０，３０に固定する際に誤って画面に触れるなど何らかの操作を行ってしまい別の画像が表示されていないか）や画像の位置や縦横の向きが適切か（誤って画像の位置や向きが変更されていないか）、あるいはそもそも画像が表示されているか（誤って画像表示を終了していないか）等を的確に確認しながら、枠体４０やスマートフォンＳを支持部３０，３０に固定することが可能となる。
また、ユーザは、枠体４０やスマートフォンＳを支持部３０，３０に取り付けた後も、ミラー５０に反射される画像を見て、プリントアウトしたい画像が枠体４０の開口部４２内に適切に表示されているかをチェックして確認することが可能となる。
しかも、本実施形態に係る携帯型プリンタ１では、上記のユーザによる確認動作を、スマートフォンＳを枠体４０や支持部３０，３０からいちいち取り外さなくてもミラー５０に反射される画像を見ながら行うことが可能となるため、ユーザにとって非常に便利なものとなる。
【００３９】
そして、ユーザは、上記のようにミラー５０を介する上記の確認を行ったうえで、インスタントカメラ１０のシャッタ１１を押して撮影を行う。そして、ハンドル１２を回すことで、取り出し口１３（図２参照）からフィルムを取り出す。
本実施形態に係る携帯型プリンタ１では、以上のようにして、ユーザがミラー５０を介してスマートフォンＳのディスプレイＤに画像が適切に表示されているかを確認しながら、スマートフォンＳのディスプレイＤに表示されている画像を適切にプリントアウトすることが可能となる。
【００４０】
なお、本実施形態に係る携帯型プリンタ１ではインスタントカメラ１０が用いられており、フィルムがインスタントカメラ１０内に正しくセットされていればフィルムが感光することはない。
そのため、本実施形態では、前述した特許文献２，３に記載されている従来の携帯型プリンタ等のようにスマートフォンＳとインスタントカメラ１０との間の空間Ｂ（図５参照）を覆って外部の光が全く入り込まないように構成する必要はなく、上記のように、２つの支持部３０，３０を開いた状態で、支持部３０，３０によって形成されスマートフォンＳとインスタントカメラ１０との間に覗き窓Ａすなわち開口が形成されて空間Ｂ内に外部の光が装置内に入り込む状態になっても何ら問題はない。
【００４１】
また、このようにスマートフォンＳとインスタントカメラ１０の間に外部の光が入り込むと、外部の光でスマートフォンＳのディスプレイＤに表示される画像が色褪せしてしまい、インスタントカメラ１０で撮影されプリントアウトされるフィルム上でも画像が色褪せしてしまう可能性がある。
しかし、近年、スマートフォンＳではディスプレイＤの輝度が非常に高くなっており、本発明者らが研究を重ねた結果、スマートフォンＳとインスタントカメラ１０の間の空間Ｂを、その側面の全周のうち半分程度以上を支持部３０，３０で覆えば（すなわち上記の覗き窓Ａとしての開口が空間Ｂの側面の全周のうち半分程度以下であれば）、覗き窓Ａから外部の光が入り込んでも、スマートフォンＳのディスプレイＤに表示される画像を色褪せしない状態でインスタントカメラ１０で撮影することができるという知見が得られた。以下の第２の実施形態も同様であるが、本実施形態に係る携帯型プリンタ１の発明はこのような知見に基づいてなされたものである。
【００４２】
［第２の実施の形態］
［携帯型プリンタの構成］
図６は、第２の実施形態に係る携帯型プリンタの構成を示す斜視図であり、図７は支持部の一部を構成する多段テレスコープ式アームの部分（すなわち蛇腹３２を取り外した支持部３０＊の状態）を示す図である。
なお、携帯型プリンタ１＊の各部の説明において、上下、左右、前後は図６に示す方向を言うものとする。また、本実施形態において、第１の実施形態と同様の構成や機能を有する部材については同じ符号を付して説明し、あるいは説明を省略する場合がある。さらに、本実施形態においても、図６に示すように、携帯型プリンタ１＊が、インスタントカメラ１０が設置部２０に一体的に組み込まれている場合について説明するが、インスタントカメラ１０と設置部２０とを別体とし、インスタントカメラ１０を設置部２０に着脱可能とするように構成することも可能である。
【００４３】
本実施形態では、支持部３０＊は、図６に示す蛇腹３２と図７に示す伸縮自在の多段テレスコープ式アーム３３等とで構成されている。すなわち、本実施形態では、インスタントカメラ１０を取り囲むように設置部２０の上面四隅にそれぞれ計４本の多段テレスコープ式アーム３３が立設されており、多段テレスコープ式アーム３３の上端には、枠体４０を取り付けるための係合部３１を含む矩形部材３４が形成されている。
そして、各多段テレスコープ式アーム３３を取り囲むように蛇腹３２が配設されている。そして、蛇腹３２の下端は設置部２０に取り付けられており、蛇腹３２の上端は矩形部材３４に取り付けられている。
そして、各多段テレスコープ式アーム３３は、所定の長さまで伸ばすとその長さを保つ状態になり、また、ユーザがそれらを長さ方向に縮めるように力を加えると容易に縮んで設置部２０上に収まるようになっている。また、蛇腹３２は、多段テレスコープ式アーム３３の伸縮にあわせて伸縮するようになっている。
【００４４】
本実施形態では、このように、各多段テレスコープ式アーム３３が所定の長さまで伸ばされるとその長さを維持するため、矩形部材３４にスマートフォンＳ（図６や図７では図示省略。以下同じ。）を下向きに取り付けることで、各多段テレスコープ式アーム３３や蛇腹３２等で構成される支持部３０＊によりディスプレイＤが下向きにされたスマートフォンＳがインスタントカメラ１０から上方に所定距離だけ離れた状態で（すなわちインスタントカメラ１０のピントが合う位置に）支持されるようになっている。
なお、本実施形態においても、スマートフォンＳを枠体４０に取り付ける代わりに、枠体４０を介さずに、スマートフォンＳを下向きにした状態で支持部３０＊（例えば矩形部材３４）に直接取り付けるように構成することも可能である。
また、各多段テレスコープ式アーム３３を用いる代わりに、例えば特許文献３の図２９に示されているようなリンク部材等を用いることも可能である。
【００４５】
本実施形態では、上記のようにして、支持部３０＊、特に蛇腹３２によって、スマートフォンＳとインスタントカメラ１０との間の空間Ｂが覆われるようになっている。そして、本実施形態では、図６に示すように、支持部３０＊を構成する蛇腹３２の一部が切り取られて覗き窓Ａが設けられている。すなわち、本実施形態では、支持部３０＊（蛇腹３２）自体に覗き窓Ａが形成されスマートフォンＳとインスタントカメラ１０との間に覗き窓Ａが形成されている。
また、本実施形態においても、インスタントカメラ１０の近傍に、ミラー５０が設けられている。そして、ミラー５０は、支持部３０＊（各多段テレスコープ式アーム３３及び蛇腹３２）に支持されたスマートフォンＳのディスプレイＤに表示されている画像を反射するようになっており、ユーザはこの覗き窓Ａを介してミラー５０で反射された画像を視認することができるようになっている。
【００４６】
この場合も、ミラー５０を、凸面鏡すなわちその鏡面が凸面とされるように形成されていることが好ましい。このように構成すれば、ミラー５０が比較的小さいものであっても、スマートフォンＳのディスプレイＤに表示された画像（実際にはスマートフォンＳのディスプレイＤに表示された画像のうち枠体４０の開口部４２によりトリミングされた範囲の画像）の全体をミラー５０で反射してユーザに視認可能とすることができる。
そして、本実施形態に係る携帯型プリンタ１＊は、このようにして支持部３０＊により下向きに支持されたスマートフォンＳのディスプレイＤに表示されている画像を、その下方に配置されているインスタントカメラ１０で撮影してプリントアウトすることができるようになっている。
【００４７】
なお、本実施形態に係る携帯型プリンタ１＊にスマートフォンＳをセットし、スマートフォンＳのディスプレイＤに表示されている画像をインスタントカメラ１０で撮影してプリントアウトするまでの手順は第１の実施形態に記載した手順と同様であり、本実施形態に係る携帯型プリンタ１＊の作用についても第１の実施形態と同様であるため、説明を省略する。なお、本実施形態では、スマートフォンＳを取り付けた枠体４０を支持部３０＊の上端に取り付けた後、支持部（多段テレスコープ式アーム３３や蛇腹３２等）を上方に引き延ばしてセットするようにしてもよい。
また、図６では、覗き窓Ａを蛇腹３２の一面（図中の手前側の面）のみに設けた場合を示したが、例えば覗き窓Ａを反対側の面（図中の奥側の面）や左右の面にも設けるように構成することも可能である。
【００４８】
［効果］
以上のように、第１の実施形態及び第２の実施形態に係る携帯型プリンタ１，１＊によれば、携帯型プリンタ１，１＊の支持部３０，３０＊に支持されたスマートフォンＳのディスプレイＤに表示されている画像を反射して、支持部３０＊（蛇腹３２（図６参照））に形成され又は支持部３０，３０（図５等参照）によって形成されスマートフォンＳとインスタントカメラ１０との間に形成された覗き窓Ａを介して視認可能とするミラー５０を設けるように構成した。
そのため、特許文献２，３に示した従来の携帯型プリンタでは、ユーザが撮影時にスマートフォンＳのディスプレイＤに表示されている画像を確認できないままプリントアウトして初めてスマートフォンＳのディスプレイＤに画像が適切に表示されていないことに気付き、撮影をし直さなければならなくなって不便さを感じたり、プリントアウトしたフィルムが無駄になってしまう場合があったが、第１の実施形態及び第２の実施形態に係る携帯型プリンタ１，１＊によれば、そのような事態は生じず、ユーザは、ミラー５０を介してスマートフォンＳのディスプレイＤに画像が適切に表示されているかを確認しながら、スマートフォンＳのディスプレイＤに表示されている画像をインスタントカメラ１０で撮影することが可能となり、フィルムを無駄にすることなく適切にプリントアウトすることが可能となる。そのため、携帯型プリンタ１，１＊がユーザにとって非常に使い勝手がよいものとなる。
【００４９】
なお、本発明は上記の実施形態に限定されず、本発明の趣旨を逸脱しない限り、適宜変更可能であることは言うまでもない。
すなわち、携帯型プリンタ１，１＊の支持部は、蓋となり得る板状の支持部３０，３０（第１の実施形態）や、各多段テレスコープ式アーム３３（あるいはリンク部材）と蛇腹３２等で構成される支持部３０＊（第２の実施形態）に限定されず、ディスプレイＤが下向きにされたスマートフォンＳをインスタントカメラ１０から上方に所定距離だけ離した状態で支持するとともに、スマートフォンＳとインスタントカメラ１０との間の空間Ｂを覆う（すなわち外部の光が空間Ｂに入り込むことを適度に遮光する）ことができるものであれば、他の構造を採用することも可能である。
【００５０】
また、例えば、第１の実施形態（図１等参照）や第２の実施形態（図６、図７参照）では、ミラー５０をインスタントカメラ１０の一方側（図中の手前側）のみに配置する場合について説明したが、ミラー５０をインスタントカメラ１０の反対側（図中の奥側）にも配置する等して、ミラー５０を複数箇所に設けるように構成することも可能である。
【符号の説明】
【００５１】
１，１＊  携帯型プリンタ
１０  インスタントカメラ
２０  設置部
３０，３０＊  支持部
３２  蛇腹（支持部）
３３  多段テレスコープ式アーム（支持部）
３４  矩形部材（支持部）
４０  枠体
４２  開口部
４３  粘着部
５０  ミラー
Ａ  覗き窓
Ｂ  空間
Ｄ  ディスプレイ
Ｓ  スマートフォン（携帯電子機器）
【図１】
2019014181.tif 000003
【図２】
2019014181.tif 000004
【図３】
2019014181.tif 000005
【図４】
2019014181.tif 000006
【図５】
2019014181.tif 000007
【図６】
2019014181.tif 000008
【図７】
2019014181.tif 000009